(57)【要約】      （修正有）【課題】複数の調理器具を安定して積み重ねることが可能な調理器具セットを提供する。【解決手段】各調理器具は、具材が投入される凹部を有する調理本体部１０、２０、３０、４０と、これに取り付けられるアダプター１１、２１、３１、４１と、これに取り付けられる取っ手１２、２２、３２、４２、とを備えており、調理本体部の大きさは異なっており、大きさの順番に従って調理本体部を積み重ね、かつ、取っ手の位置を平面視でずらせた状態で積み重ねることができ、小さい調理本体部２０、３０、４０を大きい調理本体部１０、２０、３０に載置した状態で、小さい側の調理器具のアダプター２１、３１、４１が大きい側の調理本体部の縁部１０３、２０３、３０３の上に載置され、小さい側の調理本体部の縁部２０３、３０３、４０３が大きい側の調理本体部の縁部１０３、２０３、３０３の上に載置される。【選択図】図１
0003225175.tif 000002
【実用新案登録請求の範囲】
【請求項１】
複数の調理器具からなる調理器具セットであって、
各調理器具は、具材が投入される凹部を有する調理本体部と、
この調理本体部に取り付けられるアダプターと、
このアダプターに取り付けられる取っ手、とを備えており、
各調理器具の前記調理本体部の大きさは異なっており、大きさの順番に従って調理本体部を積み重ね、かつ、取っ手の位置を平面視でずらせた状態で積み重ねることができ、
大きさの小さい調理本体部を大きさの大きい調理本体部に載置した状態で、小さい側の調理器具のアダプター又は取っ手が大きい側の調理本体部の縁部の上に載置され、小さい側の調理器具の調理本体部の縁部が大きい側の調理本体部の縁部の上に載置されるように、各調理器具の大きさが設定されていることを特徴とする調理器具セット。
【請求項２】
大きさの小さい調理本体部を大きさの大きい調理本体部に載置した状態で、小さい調理本体部の底部と大きい調理本体部の底部との間に隙間が形成されることを特徴とする請求項１に記載の調理器具セット。
【請求項３】
各調理器具のアダプターの下部に載置用凹部が形成されていることを特徴とする請求項１又は２に記載の調理器具セット。
【請求項４】
前記載置用凹部は、前記調理本体部の縁部と同一またはほぼ同一の高さにあることを特徴とする請求項３に記載の調理器具セット。
【請求項５】
前記取っ手の先端部は、取っ手の長手方向に直交する方向に対して傾斜した外形線を有することを特徴とする請求項１〜４のいずれか１項に記載の調理器具セット。
【請求項６】
前記取っ手に前記載置用凹部を形成するための突出部が形成されていることを特徴とする請求項３又は４に記載の調理器具セット。
【考案の詳細な説明】
【技術分野】
【０００１】
本考案は、複数の調理器具からなる調理器具セットに関する。
【背景技術】
【０００２】
かかる調理器具セットとして、下記特許文献１に開示される収納時積み重ねられる柄付なべ（調理器具の一例）が公知である。この柄付なべは、なべ本体の側面と柄（取っ手）とを、ほぼ逆Ｕ字型をした金具で結合した順次大きさの異なる他のなべを収納時積み重ねられるように構成したものである。
【先行技術文献】
【特許文献】
【０００３】
【特許文献１】実開平４−３６９４９号公報
【考案の概要】
【考案が解決しようとする課題】
【０００４】
しかしながら、上記文献に開示される構成は、逆Ｕ字型の金具の部分でのみ積み重ねており、なべの先端部分（金具と反対側の部分）はフリーになっているため、積み重ねたときの安定感に問題がある。
【０００５】
本考案は上記実情に鑑みてなされたものであり、その課題は、複数の調理器具を安定して積み重ねることが可能な調理器具セットを提供することである。
【課題を解決するための手段】
【０００６】
上記課題を解決するため本考案に係る調理器具セットは、
複数の調理器具からなる調理器具セットであって、
各調理器具は、具材が投入される凹部を有する調理本体部と、
この調理本体部に取り付けられるアダプターと、
このアダプターに取り付けられる取っ手、とを備えており、
各調理器具の前記調理本体部の大きさは異なっており、大きさの順番に従って調理本体部を積み重ね、かつ、取っ手の位置を平面視でずらせた状態で積み重ねることができ、
大きさの小さい調理本体部を大きさの大きい調理本体部に載置した状態で、小さい側の調理器具のアダプター又は取っ手が大きい側の調理本体部の縁部の上に載置され、小さい側の調理器具の調理本体部の一部が大きい側の調理本体部の縁部の上に載置されるように、各調理器具の大きさが設定されていることを特徴とするものである。
【０００７】
かかる構成による調理器具セットの作用・効果を説明する。調理器具セットを構成する複数の調理器具は、大きさの異なる調理本体部を有しており、大きさの順に従って、大きさの小さい調理本体部を大きさの大きい調理本体部の中に載置していく形で積み重ねて収容することができる。また、各調理器具の取っ手を平面視でずらせた状態で積み重ねることができ、積み重ねたときの全高を抑制することができる。また、調理本体部同士を積み重ねるときに、小さい側の調理器具のアダプター又は取っ手が大きい側の調理本体部の縁部の上に載置され、小さい側の調理器具の調理本体部の一部が大きい側の調理本体部の縁部の上に載置されるので、上に位置する調理器具を少なくとも２点で支持することができる。従って、複数の調理器具を安定した状態で積み重ねることができる。
【０００８】
本考案において、大きさの小さい調理本体部を大きさの大きい調理本体部に載置した状態で、小さい調理本体部の底部と大きい調理本体部の底部との間に隙間が形成されることが好ましい。
【０００９】
かかる構成により、調理本体部の底部どうしが接触しないので、あるいは、接触しにくいので、傷の発生を抑制することができる。なお、上記隙間は、すべての調理器具同士の間に形成する必要はなく、一部のみであってもよい。
【００１０】
本考案において、各調理器具のアダプターの下部に載置用凹部が形成されていることが好ましい。これにより、上にある調理器具の載置用凹部を下にある調理器具の調理本体部の縁部の上に載置することができる。
【００１１】
本考案に係る前記載置用凹部は、前記調理本体部の縁部と同一またはほぼ同一の高さにあることが好ましい。これにより、積み重ねるときの全高を抑制することができる。
【００１２】
本考案に係る前記取っ手の先端部は、取っ手の長手方向に直交する方向に対して傾斜した外形線を有することが好ましい。かかる構成により、取っ手をずらせて調理器具を積み重ねたときの美観を保持することができる。
【００１３】
本考案において、前記取っ手に前記載置用凹部を形成するための突出部が形成されていることが好ましい。これにより、突出部を目安に調理器具を順次積み重ねることができる。
【図面の簡単な説明】
【００１４】
【図１】本実施形態に係るフライパン（調理器具）を積み重ねた状態を示す平面図
【図２】図１の矢視Ａの側面図
【図３】図１のＢ−Ｂ断面図
【図４】図１のＣ−Ｃ断面図
【図５】図１のＤ−Ｄ断面図
【図６】図１のＥ−Ｅ断面図
【図７】個々のフライパンを示す外観斜視図
【図８】フライパンの部品構成を示す分解斜視図
【考案を実施するための形態】
【００１５】
本考案に係る調理器具セットの好適な実施形態を図面を用いて説明する。図１は、調理器具の一例であるフライパンを積み重ねて収納した状態を示す平面図である。個々のフライパンの構成は図７に示す。
【００１６】
図７に示すように調理器具セットは、４つの第１フライパン１，第２フライパン２，第３フライパン３，第４フライパン４により構成されている。本実施形態では、４つのフライパンで構成されているが、調理器具セットを構成するフライパンの数は特定の数に限定されるものではない。
【００１７】
一番大きな第１フライパン１は、調理用の具材が投入される調理本体部１０、アダプター１１、取っ手１２により構成される。この構成は、他のフライパン２，３，４に関しても同じであり、調理本体部２０，３０，４０、アダプター２１，３１，４１、取っ手２２，３２，４２により構成される。図７において、調理本体部１０〜４０の大きさの大きい順に並べて図示している。
【００１８】
第１フライパン１〜第３フライパン３の調理本体部１０，２０，３０は、平面視で円形であるが、第４フライパン４の調理本体部４０は平面視で長方形である。ただし、調理本体部１０〜４０の形状は、特定の形状に限定されるものではなく、正方形、楕円形等の任意の形状を採用することができ、任意の形状のものを組み合わせることができる。調理本体部１０〜４０は、マグネシウム等の素材により形成することができる。
【００１９】
図８に第２フライパン２の部材構成を分解斜視図で示している。他のフライパンに関しても同じ部材構成であるので、代表して第２フライパン２により説明する。調理本体部２０は、具材が投入される凹部２００を有する。凹部２００は、底部２０１と壁部２０２と縁部２０３により構成される。底部２０１は、平面により構成され、壁部２０２は底部２０１に続く傾斜面により構成され、縁部２０３は壁部２０２に続くフランジにより構成される。縁部２０３は、壁部２０２の頂部から外側に張り出すようなフランジ形状を有する。なお、調理本体部２０の形状は、上記に限定されるものではなく、種々の形状を採用できる。
【００２０】
アダプター２１は、取り付け部２１０を有しており、調理本体部２０の壁部２０２の外面に２本のリベット２３により固定される。壁部２０２には、リベット２３の挿入のための穴２０４が２カ所形成され、取り付け部２１０にも２カ所穴２１１が形成されている。なお、固定方法はリベットに限定されるものではなく、ねじ等の他の手段を採用してもよい。
【００２１】
図３は、図１のＢ−Ｂ断面図であり、第１フライパン１の上に第２フライパン２を載置したときの状態が示されている。Ｆ拡大図を見ても分かるように、アダプター２１は、取り付け部２１０と一体形成されたアダプター本体部２１２を有する。アダプター本体部２１２は、上下方向に延びる第１部分２１２ａとほぼ水平方向に延びる第２部分２１２ｂを有している。第２部分２１２ｂは、調理本体部２０よりも上方に位置している。第２部分２１２ｂには取っ手取り付け部２１３が一体形成されている。アダプター２１は、アルミニウム等の金属や合成樹脂により全体が一体成型される。
【００２２】
取っ手取り付け部２１３は、取っ手２２の内部に挿入され、ネジ２４により結合される（図３参照）。ネジ２４は、ほぼ水平方向から取っ手２２の内部に形成された穴から挿入され、アダプター２１に形成されたネジ穴に螺合される。取っ手２２の裏面２２１はほぼ水平であるが、表面２２２は先端に行くほど持ち上がる傾斜面に形成されている。
【００２３】
また、取っ手２２の裏面には突出部２２３が形成されている。突出部２２３は、第２部分２１２ｂの裏面よりも下方に突出しており、アダプター２１の裏面（下部）に載置用凹部５が形成される。突出部２２３は、アダプター２１と当接する箇所に形成されている。なお、突出部２２３は、取っ手２２ではなくてアダプター２１に形成してもよい。載置用凹部５の位置は、縁部２０３の高さと同一あるいはほぼ同一である。
【００２４】
載置用凹部５に第１フライパン１の調理本体部１０の縁部１０３が挿入される。すなわち、下にある大きいほうの第１フライパン１の縁部１０３により、上にある小さいほうの第２フライパン２が支持されることになる。この関係は第３フライパン３と第４フライパン４の間においても同じである。なお、第２フライパン２と第３フライパン３の間では、載置用凹部５の外側である、取っ手３２の裏面が第２フライパン２の縁部２０３により支持されているが、他と同様に載置用凹部５により支持するようにしてもよい。
【００２５】
図３を見ても分かるように、取っ手２２とは反対側に位置する縁部２０３は、そのすぐ下にある第１フライパン１の縁部１０３の上に載置されている。また、縁部２０３の上には、第３フライパン３の縁部３０３が載置されている。縁部３０３の上には第４フライパン４の縁部４０３が載置されている。このように載置用凹部５と縁部同士の積み重ねにより、安定した状態で複数のフライパン１〜４を積み重ねることができる。
【００２６】
図４は、図１のＣ−Ｃ断面図である。４つのフライパン１〜４を積み重ねた状態で、第１フライパン１の底部１００と第２フライパン２００の底部に間には隙間が形成される。第２フライパン２の底部２００と第３フライパン３の底部３００は、ぴったりと当接した状態である。ただし、隙間を形成させてもよい。第３フライパン３の底部３００と第４フライパン４の底部４００の間には隙間が形成されている。隙間が形成されている箇所については、ぴったりと当接させるようにしてもよい。
【００２７】
図２に各フライパン１〜４の取っ手１２〜４２の表面１２２〜４２２の側面視における傾斜角度αを示している。いずれのフライパン１〜４においても傾斜角度αは同一である。これにより、フライパン１〜４を積み重ねたときの統一感を出すことができると共に、収納するときの効率を高めている。
【００２８】
図１において、各フライパン１〜４を積み重ねたときの取っ手１２〜４２の状態を示している。各取っ手１２〜４２の先端部の外形線１２４〜４２４は、取っ手１２〜４２の長手方向に直交する方向に対して傾斜した角度βを有する。このような傾斜角度βを有することで、平面視において外形線１２４〜４２４が連続しているような見た目を与えることができ、美観が向上する。傾斜角度βは、各フライパン１〜４において同一でなくてもよく、見た目の連続性を保てるような角度に設定することができる。
【００２９】
取っ手１２〜４２の幅は同一であり、図１に示すように、平面視において取っ手１２〜４２が重ならないようにしてずらせて積み重ねることができる。各取っ手１２〜４２の先端部には、穴１２５〜４２５が形成されている。各穴１２５〜４２５は、台形状の穴であり、外形線１２４〜４２４に平行な辺を含み、統一感を高めている。
【００３０】
図３のＢ−Ｂ断面図に示されるように、第１フライパン１の壁部１０２と第２フライパン２の壁部２０２の間には隙間が形成されている。その隙間は縁部１０３，２０３に近づくほど小さくなる。第２フライパン２の壁部２０２と第３フライパン３の壁部３０２の間には隙間がほとんどなく、ほぼ当接した状態である。ただし、Ｂ−Ｂ断面図以外の箇所では隙間が形成されている。第３フライパン３の壁部３０２と第４フライパン４の壁部４０２の間にも隙間が形成されている。
【００３１】
図１に４つのフライパン１〜４を積み重ねた状態を示すが、第２フライパン２は、第１フライパン１の上に載置されるが、第２フライパン２のアダプター２１の裏面の載置用凹部５が、第１フライパン１の縁部１０３の上に載置され、当該載置位置の反対側において、第２フライパン２の縁部２０３が第１フライパン１の縁部１０３の上に載置される。すなわち、第２フライパン２は２カ所で支持される。
【００３２】
第３フライパン３は、第２フライパン２の上に載置されるが、第３フライパン３の取っ手３２の裏面が第２フライパン２の縁部２０３の上に載置され、当該載置位置の反対側において、第３フライパン３の縁部３０３が第２フライパン１の縁部２０３の上に載置される。すなわち、第３フライパン２は２カ所で支持される。
【００３３】
第４フライパン４は、第３フライパン３の上に載置されるが、第４フライパン４のアダプター４１の裏面の載置用凹部５が、第３フライパン１の縁部３０３の上に載置される。また、第４フライパン４は調理本体部４０が長方形であるので、調理本体部４０の縁部４０３の４カ所が第３フライパン１の縁部３０３の上に載置される。すなわち、第４フライパン４は５カ所で支持される。
【００３４】
図２に示すように、４つのフライパン１〜４を積み重ねた状態で、調理本体部１０〜４０の全高は、調理本体部１０の高さに縁部２０３，３０３，４０３の高さを加えた高さに抑制することができる。また、取っ手１２〜４２はずらせた状態で積み重ねているので、図２からも分かるように取っ手も含めた全高を抑制することができる。積み重ねたときの全高は、第１フライパン１の高さとほぼ同一である。また、第１フライパン１の凹部１００の深さが最も深く、第２フライパン２の凹部２００の深さと第３フライパン３の凹部３００の深さは、同一またはほぼ同一であり、第４フライパン４の凹部４００の深さが最も浅くなっている。
【００３５】
＜別実施形態＞
本実施形態では、調理器具の例としてフライパンをあげたが、これに限定されるものではなく、フライパン以外の調理器具の場合にも本考案は応用できるものである。また、フライパンにより調理される具材や料理に関しても、特定のものに限定されるものではない。
【符号の説明】
【００３６】
１        第１フライパン
２        第２フライパン
３        第３フライパン
４        第４フライパン
５        載置用凹部
１０，２０，３０，４０      調理本体部
１１，２１，３１，４１      アダプター
１２，２２，３２，４２      取っ手
１００，２００，３００，４００      凹部
１０１，２０１，３０１，４０１      底部
１０２，２０２，３０２，４０２      壁部
１０３，２０３，３０３，４０３      縁部
１２４，２２４，３２４，４２４      外形線
２２３    突出部
α        傾斜角度
β        傾斜角度
【図１】
0003225175.tif 000003
【図２】
0003225175.tif 000004
【図３】
0003225175.tif 000005
【図４】
0003225175.tif 000006
【図５】
0003225175.tif 000007
【図６】
0003225175.tif 000008
【図７】
0003225175.tif 000009
【図８】
0003225175.tif 000010